(57)【要約】【課題】スターターモーターを駆動する電磁継電装置を低コストで提供する。【解決手段】第１のリレーと第２のリレーとを有する電磁継電装置であって、前記第１のリレーのスイッチは駆動負荷と直列に接続されており、前記第１のリレーのコイルは前記第２のリレーのスイッチと直列に接続されており、前記第２のリレーのコイルは制御スイッチと直列に接続されており、前記第１のリレーのコイルと並列に接続された第１の抵抗と、前記第２のリレーのコイルと並列に接続された第２の抵抗と、を有し、前記第１のリレーと前記第２のリレーは同じ構造のものであって、前記第１のリレーのスイッチの接点及び前記第２のリレーのスイッチの接点は、ともに、銀酸化錫または銀酸化錫インジウムを含む材料により形成されているものであることを特徴とする電磁継電装置を提供することにより上記課題を解決する。【選択図】  図１
2012142208.tif 000002
【特許請求の範囲】
【請求項１】
第１のリレーと第２のリレーとを有する電磁継電装置であって、
前記第１のリレーのスイッチは駆動負荷と直列に接続されており、
前記第１のリレーのコイルは前記第２のリレーのスイッチと直列に接続されており、
前記第２のリレーのコイルは制御スイッチと直列に接続されており、
前記第１のリレーのコイルと並列に接続された第１の抵抗と、
前記第２のリレーのコイルと並列に接続された第２の抵抗と、
を有し、
前記第１のリレーと前記第２のリレーは同じ構造のものであって、
前記第１のリレーのスイッチの接点及び前記第２のリレーのスイッチの接点は、ともに、銀酸化錫または銀酸化錫インジウムを含む材料により形成されているものであることを特徴とする電磁継電装置。
【請求項２】
前記第１のリレーのスイッチは、電源の一方の側に接続されており、
前記駆動負荷は、電源の他方の側に接続されているものであることを特徴とする請求項１に記載の電磁継電装置。
【請求項３】
前記第１のリレーのスイッチ、前記第２のリレーのスイッチ及び前記第２のリレーのコイルは、電源の一方の側に接続されており、
前記駆動負荷、前記第１のリレーのコイル及び制御スイッチは、電源の他方の側に接続されているものであることを特徴とする請求項１に記載の電磁継電装置。
【請求項４】
前記制御スイッチをオン状態にすることにより、前記駆動負荷には前記電源からの電力が供給されるものであることを特徴とする請求項２または３に記載の電磁継電装置。
【請求項５】
前記第１のリレー及び前記第２のリレーは、ともに、１つのコイルと前記１つのコイルに対応する１つのスイッチを有するリレーであることを特徴とする請求項１から４のいずれかに記載の電磁継電装置。
【請求項６】
前記第１のリレー及び前記第２のリレーは、ともに、１つのコイルと前記１つのコイルに対応する２つのスイッチを有するリレーであって、前記２つのスイッチの一方の側の接点同士及び他方の側の接点同士は接続されているものであることを特徴とする請求項１から４のいずれかに記載の電磁継電装置。
【請求項７】
前記第１の抵抗における抵抗値は、２５０Ω以上、５ｋΩ以下であることを特徴とする請求項１から６のいずれかに記載の電磁継電装置。
【請求項８】
前記第１のリレーのコイルにおける抵抗値は、２４０Ω以下であることを特徴とする請求項１から７のいずれかに記載の電磁継電装置。
【請求項９】
前記駆動負荷はモーターであることを特徴とする請求項１から８のいずれかに記載の電磁継電装置。
【発明の詳細な説明】
【技術分野】
【０００１】
本発明は、電磁継電装置に関する。
【背景技術】
【０００２】
自動車用のエンジン等には、スターターリレーを用いた電磁継電装置が用いられている。このような電磁継電装置は、２つのリレーを含んだ構造のものであり、一方のリレーには、スターターモーター等を駆動するため大電流が流れることから、安全上の観点より、一方のリレーと他方のリレーは、離れた位置に配置されている。
【０００３】
この電磁継電装置では、別途設けられた制御スイッチをオン状態にすることにより、他方のリレーのコイルに電流が流れ、他方のリレーのスイッチがオン状態となり、これにより、他方のリレーに接続された一方のリレーのコイルに電流が流れ、一方のリレーのスイッチもオン状態となり、スターターモーター等に電源等から電力が供給される。
【０００４】
このような電磁継電装置では、一方のリレーには、スターターモーターを駆動するため大電流を流す必要があるが、他方のリレーには、大電流を流す必要はないため、一方のリレーを制御することができる程度の低い電流を流すことができればよい。
【０００５】
このため、電磁継電装置では、通常、一方のリレーと他方のリレーは異なるタイプのリレー、即ち、一方のリレーは大電流に対応したリレーが用いられており、他方のリレーは大電流には対応していない低電流に対応した通常のリレーが用いられている。
【先行技術文献】
【特許文献】
【０００６】
【特許文献１】特開平９−２８６３０３号公報
【特許文献２】特開２００９−２９３５４４号公報
【発明の概要】
【発明が解決しようとする課題】
【０００７】
ところで、上述した電磁継電装置において、一方のリレーと他方のリレーが同じリレーであれば、部品の種類を削減することができ、より低コストで電磁継電装置を得ることができる。
【０００８】
しかしながら、通常のリレーでは、接点部分に銀ニッケル等が用いられているのに対し、大電流に対応したリレーでは、安全性の観点等より、接点部分に銀酸化錫、銀酸化錫インジウム等が用いられている。従って、大電流に対応したリレーでは、接点部分の表面は酸化膜等により覆われており、この酸化膜等は、接点が接触する際に生じるアークにより除去（接点浄化）し、導電性の高い内部を露出させて接触させることにより、電気的に接触させる構造となっている。
【０００９】
このため、一方のリレーに用いられている大電流に対応したリレーを他方のリレーとして用いた場合では、他方のリレーに流れる程度の低い電流では、アークが発生しないため、接点の表面を覆う酸化膜等を除去（接点浄化）することができず、導電性の低い酸化膜等に覆われている部分同士が接触するため、十分な電流を流すことができない。また、他方のリレーとして用いられている通常のリレーでは、大電流には対応していないため一方のリレーとしては用いることはできない。
【００１０】
本発明は、上記に鑑みてなされたものであり、電磁継電装置において同じ構造の２つのリレーを用いることにより、低コストで電磁継電装置を提供することを目的とするものである。
【課題を解決するための手段】
【００１１】
本発明は、第１のリレーと第２のリレーとを有する電磁継電装置であって、前記第１のリレーのスイッチは駆動負荷と直列に接続されており、前記第１のリレーのコイルは前記第２のリレーのスイッチと直列に接続されており、前記第２のリレーのコイルは制御スイッチと直列に接続されており、前記第１のリレーのコイルと並列に接続された第１の抵抗と、前記第２のリレーのコイルと並列に接続された第２の抵抗と、を有し、前記第１のリレーと前記第２のリレーは同じ構造のものであって、前記第１のリレーのスイッチの接点及び前記第２のリレーのスイッチの接点は、ともに、銀酸化錫または銀酸化錫インジウムを含む材料により形成されているものであることを特徴とする。
【００１２】
また、本発明は、前記第１のリレーのスイッチは、電源の一方の側に接続されており、前記駆動負荷は、電源の他方の側に接続されているものであることを特徴とする。
【００１３】
また、本発明は、前記第１のリレーのスイッチ、前記第２のリレーのスイッチ及び前記第２のリレーのコイルは、電源の一方の側に接続されており、前記駆動負荷、前記第１のリレーのコイル及び制御スイッチは、電源の他方の側に接続されているものであることを特徴とする。
【００１４】
また、本発明は、前記制御スイッチをオン状態にすることにより、前記駆動負荷には前記電源からの電力が供給されるものであることを特徴とする。
【００１５】
また、本発明は、前記第１のリレー及び前記第２のリレーは、ともに、１つのコイルと前記１つのコイルに対応する１つのスイッチを有するリレーであることを特徴とする。
【００１６】
また、本発明は、前記第１のリレー及び前記第２のリレーは、ともに、１つのコイルと前記１つのコイルに対応する２つのスイッチを有するリレーであって、前記２つのスイッチの一方の側の接点同士及び他方の側の接点同士は接続されているものであることを特徴とする。
【００１７】
また、本発明は、前記第１の抵抗における抵抗値は、２５０Ω以上、５ｋΩ以下であることを特徴とする。
【００１８】
また、本発明は、前記第１のリレーのコイルにおける抵抗値は、２４０Ω以下であることを特徴とする。
【００１９】
また、本発明は、前記駆動負荷はモーターであることを特徴とする。
【発明の効果】
【００２０】
本発明によれば、電磁継電装置において同じ構造の２つのリレーを用いることにより、低コストで電磁継電装置を提供することができる。
【図面の簡単な説明】
【００２１】
【図１】第１の実施の形態における電磁継電装置の回路図
【図２】第１の実施の形態に用いられるリレーの説明図
【図３】第１のリレーのコイルの抵抗値と最低電圧の相関図（使用温度：８５℃）
【図４】第１のリレーのコイルの抵抗値と最低電圧の相関図（使用温度：１２５℃）
【図５】第１の抵抗の抵抗値と最低電圧の相関図（使用温度：８５℃）
【図６】第１の抵抗の抵抗値と最低電圧の相関図（使用温度：１２５℃）
【図７】第２の実施の形態における電磁継電装置の回路図
【図８】第２の実施の形態に用いられるリレーの説明図
【発明を実施するための形態】
【００２２】
本発明を実施するための形態について、以下に説明する。尚、同じ部材等については、同一の符号を付して説明を省略する。
【００２３】
〔第１の実施の形態〕
本発明を実施するための第１の実施の形態について、図１に基づき説明する。本実施の形態における電磁継電装置は、駆動負荷となるスターターモーター４０を駆動するためのものであり、第１のリレー（スターターリレー）１０と第２のリレー（サブスターターリレー）２０を有しており、これらは電源５０に接続されている。第１のリレー１０にはスイッチ１１及びコイル１２が設けられており、コイル１２に電流が流れることにより、スイッチ１１がオン状態となる。また、第２のリレー２０にはスイッチ２１及びコイル２２が設けられており、コイル２２に電流が流れることにより、スイッチ２１がオン状態となる。
【００２４】
第１のリレー１０のスイッチ１１とスターターモーター４０とは直列に接続されており、第１のリレー１０のスイッチ１１は電源５０の一方の側に接続されており、スターターモーター４０は電源５０の他方の側に接続されている。
【００２５】
第１のリレー１０のコイル１２と第２のリレー２０のスイッチ２１とは直列に接続されており、第２のリレー２０のスイッチ２１は電源５０の一方の側に接続されており、第１のリレー１０のコイル１２は電源５０の他方の側に接続されている。また、第１のリレー１０のコイル１２には並列に第１の抵抗１３が接続されている。第１の抵抗１３は、第１のリレー１０のコイル１２に流れる電流が遮断された場合に、コイル１２の逆起電力により生じた電流を流すためのものである。即ち、第１の抵抗１３により、電磁継電装置に接続されている不図示の電子回路等を第１のリレー１０のコイル１２の逆起電力により生じた電流から保護するためのものである。
【００２６】
また、第２のリレー２０のコイル２２は、制御スイッチ３０と直列に接続されており、コイル２２には、第２の抵抗２３が並列に接続されている。第２のリレー２０のコイル２２は電源５０の一方の側に接続されており、制御スイッチ３０は電源５０の他方の側に接続されている。第２の抵抗２３は、第２のリレー２０のコイル２２に流れる電流が遮断された場合に、コイル２２の逆起電力により生じた電流を流すためのものである。即ち、第２の抵抗２３により、電磁継電装置に接続されている不図示の電子回路等を第２のリレー２０のコイル２２の逆起電力により生じた電流から保護するためのものである。
【００２７】
本実施の形態における電磁継電装置の動作は、制御スイッチ３０をオン状態とすることにより第２のリレー２０のコイル２２に電流が流れ、これにより第２のリレー２０のスイッチ２１がオン状態となる。第２のリレー２０のスイッチ２１がオン状態となることにより第１のリレー１０のコイル１２に電流が流れ、これにより第１のリレー１０のスイッチ１１がオン状態となり、スターターモーター４０に電源５０からの電力が供給され、スターターモーター４０が駆動する。
【００２８】
本実施の形態における電磁継電装置では、第１のリレー１０と第２のリレー２０とは同じ構造のリレーが用いられている。即ち、第１のリレー１０と第２のリレー２０は同じ大電流に対応したリレーであり、各々の接点部分は、銀酸化錫、銀酸化錫インジウム等を含む材料により形成されている。
【００２９】
本実施の形態における電磁継電装置に用いられるリレー、即ち、第１のリレー１０と第２のリレー２０の具体的な構造の一例を図２に示す。このリレー６０は１ｆｏｒｍＣ（１トランスファー）型リレーと称されるものであり、１つのコイルに１つのスイッチが設けられているものである。このリレー６０は、ベース６１上に設置されたコイル６２と、可動接点６３及び固定接点６４、６５を有している。リレー６０では２つの固定接点６４、６５を有しているが本実施の形態においてはどちらか一方が使用される。
【００３０】
可動接点６３は可動バネ６７に接続されており、可動バネ６７には接極子６８が接続されている。例えば、可動接点６３と固定接点６４とによりスイッチ６６が構成されている場合を考えると、コイル６２に電流が流れ磁界を発生させることにより、固定接点６４に可動接点６３が接触し、スイッチ６６がオン状態となる。また、コイル６２に流れる電流を遮断すると、コイル６２により発生していた磁界がなくなるため、可動バネ６７のバネの力により固定接点６４から可動接点６３が離れ、スイッチ６６はオフ状態となる。尚、可動接点６３と固定接点６５とによりスイッチが構成される場合には、オン、オフ動作が逆となる。
【００３１】
本実施の形態における電磁継電装置において、第１のリレー１０及び第２のリレー２０として、図２に示されるリレー６０を用いた場合では、リレー６０のスイッチ６６は、第１のリレー１０のスイッチ１１及び第２のリレー２０のスイッチ２１に相当し、リレー６０のコイル６２は、第１のリレー１０のコイル１２及び第２のリレー２０のコイル２２に相当する。
【００３２】
ところで、発明者は、図１に示される電磁継電装置において、第２のリレー２０のスイッチ２１の接点浄化は、第１のリレー１０におけるコイル１２の抵抗値及び第１の抵抗１３の抵抗値に依存するものであることを見出した。このことを図３から図６に基づき説明する。
【００３３】
図３及び図４は、第１のリレー１０のコイル１２の抵抗値と、第２のリレー２０のスイッチ２１が接点浄化され導通する最低の電圧（最低電圧）との関係について、第１の抵抗１３の抵抗値が各々異なる場合について示すものである。尚、図３は使用温度が〜８５℃の場合を示すものであり、図４は使用温度が〜１２５℃の場合を示すものである。
【００３４】
また、図５及び図６は、第１の抵抗１３の抵抗値と、第２のリレー２０のスイッチ２１が接点浄化され導通する最低の電圧（最低電圧）との関係について、第１のリレー１０のコイル１２の抵抗値が各々異なる場合について示すものである。尚、図５は使用温度が〜８５℃の場合を示すものであり、図６は使用温度が〜１２５℃の場合を示すものである。
【００３５】
図３から図６に示されるように、第１の抵抗１３の抵抗値を高くすることにより最低電圧を低くすることができる。また、第１のリレー１０のコイル１２の抵抗値を低くすることにより最低電圧を低くすることができる。尚、この最低電圧は電源電圧に対応するものであり、最低電圧を低くすることにより電圧の低い電源５０を用いることができる。
【００３６】
ところで、自動車等には電源としてバッテリーが搭載されているが、通常バッテリーの電圧は１２Ｖであり、２つのバッテリーを直列に接続して用いた場合では２４Ｖとなる。通常バッテリーは環境や使用状況等により供給される電圧が変化し、この変化の範囲は、電圧が１２Ｖのバッテリーでは９Ｖ〜１４Ｖであり、また、電圧が２４Ｖとなる場合では１８Ｖ〜２８Ｖである。
【００３７】
このような観点より、図３及び図５に示す場合（使用温度が〜８５℃の場合）に基づくならば、第１の抵抗１３の抵抗値は、最低電圧が約２８Ｖ以下となる２５０Ω以上であることが好ましく、更には、約１４Ｖ以下となる４００Ω以上であることが好ましく、また、約１２Ｖ以下となる５００Ω以上であることがより一層好ましい。尚、第１の抵抗１３の抵抗値は、逆起電力により発生した電流を有効に流すことが必要であることから５ｋΩ以下であることが好ましい。
【００３８】
即ち、第１の抵抗１３の抵抗値は、２５０Ω以上、５ｋΩ以下であることが好ましく、更には、４００Ω以上、５ｋΩ以下であることが好ましく、また、５００Ω以上、５ｋΩ以下であることがより一層好ましい。
【００３９】
また、第１のリレー１０のコイル１２の抵抗値は、第１の抵抗１３の抵抗値が２５０Ωの場合で最低電圧が約２８Ｖとなり、第１の抵抗１３の抵抗値が５００Ωの場合で最低電圧が約１４Ｖとなる２４０Ω以下であることが好ましく、更には、第１の抵抗１３の抵抗値が２５０Ωの場合で最低電圧が約２４Ｖとなり、第１の抵抗１３の抵抗値が５００Ωの場合で最低電圧が約１２Ｖとなる２２０Ω以下であることが好ましく、また、第１の抵抗１３の抵抗値が２５０Ωの場合で最低電圧が約１７Ｖとなり、第１の抵抗１３の抵抗値が５００Ωの場合で最低電圧が約９Ｖとなる１７０Ω以下であることがより一層好ましい。尚、第１のリレー１０のコイル１２の抵抗値の下限は、コイル１２に電流が流すことができるよう０Ω以上であればよい。
【００４０】
即ち、第１のリレー１０のコイル１２の抵抗値は、０Ω以上、２４０Ω以下であることが好ましく、更には、０Ω以上、２２０Ω以下であることが好ましく、また、０Ω以上、１７０Ω以下であることがより一層好ましい。
【００４１】
また、より条件の厳しい図４及び図６に示す場合（使用温度が〜１２５℃の場合）に基づくならば、第１の抵抗１３の抵抗値は、最低電圧が約２８Ｖ以下となる２５０Ω以上であることが好ましく、更には、約１４Ｖ以下となる５００Ω以上であることが好ましく、また、約１２Ｖ以下となる６８０Ω以上であることがより一層好ましい。尚、第１の抵抗１３の抵抗値は、逆起電力により発生した電流を有効に流すことが必要であることから５ｋΩ以下であることが好ましい。
【００４２】
即ち、第１の抵抗１３の抵抗値は、２５０Ω以上、５ｋΩ以下であることが好ましく、更には、５００Ω以上、５ｋΩ以下であることが好ましく、また、６８０Ω以上、５ｋΩ以下であることがより一層好ましい。
【００４３】
また、第１のリレー１０のコイル１２の抵抗値は、第１の抵抗１３の抵抗値が２５０Ωの場合で最低電圧が約２８Ｖとなり、第１の抵抗１３の抵抗値が５００Ωの場合で最低電圧が約１４Ｖとなる２４０Ω以下であることが好ましく、更には、第１の抵抗１３の抵抗値が２５０Ωの場合で最低電圧が約２４Ｖとなり、第１の抵抗１３の抵抗値が５００Ωの場合で最低電圧が約１２Ｖとなる２００Ω以下であることが好ましく、また、第１の抵抗１３の抵抗値が２５０Ωの場合で最低電圧が約１７Ｖとなり、第１の抵抗１３の抵抗値が５００Ωの場合で最低電圧が約９Ｖとなる１５０Ω以下であることがより一層好ましい。尚、第１のリレー１０のコイル１２の抵抗値の下限は、コイル１２に電流が流すことができるよう０Ω以上であればよい。
【００４４】
即ち、第１のリレー１０のコイル１２の抵抗値は、０Ω以上、２４０Ω以下であることが好ましく、更には、０Ω以上、２００Ω以下であることが好ましく、また、０Ω以上、１５０Ω以下であることがより一層好ましい。
【００４５】
〔第２の実施の形態〕
次に、第２の実施の形態について説明する。本実施の形態は、第１の実施の形態における第１のリレー１０及び第２のリレー２０に１回路２接点のリレーを用いた構造のものである。
【００４６】
図７に基づき本実施の形態における電磁継電装置について説明する。本実施の形態における電磁継電装置は、スターターモーター４０を駆動するためのものであり、第１のリレー（スターターリレー）１１０と第２のリレー（サブスターターリレー）１２０を有しており、これらは電源５０に接続されている。第１のリレー１１０及び第２のリレー１２０は、接続信頼性を高めた構造のものであり、１つの回路に２つのスイッチが設けられており、２つのスイッチの各々対応する接点同士が略同時に接続されるものである。即ち、オン状態では、２つのスイッチの一方の側の接点同士が接続され、また、他方の側の接点同士も接続される。
【００４７】
第１のリレー１１０には、１つのコイル１１２に対し２つのスイッチ１１１ａ及び１１１ｂが設けられており、コイル１１２に電流が流れることにより、２つのスイッチ１１１ａ及び１１１ｂが略同時にオン状態となる。同様に、第２のリレー１２０には、１つのコイル１２２に対し２つのスイッチ１２１ａ及び１２１ｂが設けられており、コイル１２２に電流が流れることにより、スイッチ１２１ａ及び１２１ｂが略同時にオン状態となる。尚、第１のリレー１１０において２つのスイッチ１１１ａと１１１ｂとは並列に接続されており、第２のリレー１２０において２つのスイッチ１２１ａと１２１ｂとは並列に接続されている。
【００４８】
第１のリレー１１０の２つのスイッチ１１１ａ及び１１１ｂとスターターモーター４０とは直列に接続されており、第１のリレー１１０の２つのスイッチ１１１ａ及び１１１ｂには電源５０の一方の側が接続されており、スターターモーター４０には電源５０の他方の側が接続されている。
【００４９】
第１のリレー１１０のコイル１１２と第２のリレー１２０の２つのスイッチ１２１ａ及び１２１ｂとは直列に接続されており、第２のリレー１２０の２つのスイッチ１１１ａ及び１１１ｂには電源５０の一方の側が接続されており、第１のリレー１１０のコイル１１２には電源５０の他方の側が接続されている。また、第１のリレー１１０のコイル１１２には並列に第１の抵抗１３が接続されている。第１の抵抗１３は、第１のリレー１１０のコイル１１２に流れる電流が遮断された場合に、コイル１１２の逆起電力により生じた電流を流すためのものである。即ち、第１の抵抗１３により、電磁継電装置に接続されている不図示の電子回路等を第１のリレー１１０のコイル１１２の逆起電力により生じた電流から保護するためのものである。
【００５０】
また、第２のリレー１２０のコイル１２２は、制御スイッチ３０と直列に接続されており、コイル１２２には、第２の抵抗２３が並列に接続されている。第２のリレー１２０のコイル１２２には電源５０の一方の側が接続されており、制御スイッチ３０には電源５０の他方の側が接続されている。第２の抵抗２３は、第２のリレー１２０のコイル１２２に流れる電流が遮断された場合に、コイル１２２の逆起電力により生じた電流を流すためのものである。即ち、第２の抵抗２３により、電磁継電装置に接続されている不図示の電子回路等を第２のリレー１２０のコイル１２２の逆起電力により生じた電流から保護するためのものである。
【００５１】
本実施の形態における電磁継電装置の動作は、制御スイッチ３０をオン状態とすることにより第２のリレー１２０のコイル１２２に電流が流れ、これにより第２のリレー１２０の２つのスイッチ１２１ａ、１２１ｂがオン状態となる。第２のリレー１２０のスイッチ１２１ａ、１２１ｂがオン状態となることにより第１のリレー１１０のコイル１１２に電流が流れ、これにより第１のリレー１１０のスイッチ１１１ａ、１１１ｂがオン状態となり、スターターモーター４０に電源５０からの電力が供給され、スターターモーター４０が駆動する。
【００５２】
本実施の形態における電磁継電装置では、第１のリレー１１０と第２のリレー１２０とは同じ構造のリレーが用いられている。即ち、第１のリレー１１０と第２のリレー１２０は同じ大電流に対応したリレーであり、各々の接点部分は、銀酸化錫、銀酸化錫インジウム等を含む材料により形成されている。
【００５３】
本実施の形態における電磁継電装置においては、第１のリレー１１０は、スイッチ１１１ａの一方の側の接点とスイッチ１１１ｂの一方の側の接点とが接続されており、スイッチ１１１ａの他方の側の接点とスイッチ１１１ｂの他方の側の接点とが接続されている。よって、スイッチ１１１ａまたはスイッチ１１１ｂのどちらか一方が故障等により閉じなくなっても、他方が閉じるため、接触信頼性が高い。同様に、第２のリレー１２０は、スイッチ１２１ａの一方の側の接点とスイッチ１２１ｂの一方の側の接点とが接続されており、スイッチ１２１ａの他方の側の接点とスイッチ１２１ｂの他方の側の接点とが接続されている。よって、スイッチ１２１ａまたはスイッチ１２１ｂのどちらか一方が故障等により閉じなくなっても、他方が閉じるため、接触信頼性が高い。
【００５４】
本実施の形態における電磁継電装置においては、第１のリレー１１０及び第２のリレー１２０には、１つのコイルに対して２つのスイッチが設けられており２つのスイッチの一方の側の端子同士が接続されるとともに、他方の側の端子同士が接続されている構造のものである。
【００５５】
本実施の形態における電磁継電装置に用いられるリレー、即ち、第１のリレー１１０と第２のリレー１２０の具体的な構造の一例を図８に示す。このリレー１６０は１ｆｏｒｍＵ（２メーク）型リレーと称されるものであり、１つのコイルに２つのスイッチが設けられているものである。即ち、このリレー１６０は、ベース１６１上に設置されたコイル１６２と、可動接点１６３ａ及び固定接点１６４ａからなるスイッチ１６６ａと、可動接点１６３ｂ及び固定接点１６４ｂからなるスイッチ１６６ｂとを有している。
【００５６】
可動接点１６３ａ及び１６３ｂは可動バネ１６７に接続されており、可動バネ１６７には接極子１６８が接続されている。従って、コイル１６２に電流が流れ磁界を発生させることにより、固定接点１６４ａに可動接点１６３ａが接触すると同時に、固定接点１６４ｂに可動接点１６３ｂが接触し、スイッチ１６６ａ及び１６６ｂがオン状態となる。また、コイル１６２に流れる電流を遮断すると、コイル１６２により発生していた磁界がなくなるため、可動バネ１６７のバネの力により、固定接点１６４ａから可動接点１６３ａが離れると同時に、固定接点１６４ｂから可動接点１６３ｂが離れ、スイッチ１６６ａ及び１６６ｂがオフ状態となる。
【００５７】
本実施の形態における電磁継電装置において、第１のリレー１１０及び第２のリレー１２０として、図８に示されるリレー１６０を用いた場合では、リレー１６０のスイッチ１６６ａは、第１のリレー１１０のスイッチ１１１ａ及び第２のリレー１２０のスイッチ１２１ａに相当し、リレー１６０のスイッチ１６６ｂは、第１のリレー１１０のスイッチ１１１ｂ及び第２のリレー１２０のスイッチ１２１ｂに相当し、リレー１６０のコイル１６２は、第１のリレー１１０のコイル１１２及び第２のリレー１２０のコイル１２２に相当する。
【００５８】
尚、上記以外の内容については、第１の実施の形態と同様である。
【００５９】
以上、本発明の実施に係る形態について説明したが、上記内容は、発明の内容を限定するものではない。
【符号の説明】
【００６０】
１０        第１のリレー
１１        スイッチ
１２        コイル
１３        第１の抵抗
２０        第２のリレー
２１        スイッチ
２２        コイル
２３        第２の抵抗
３０        制御スイッチ
４０        スターターモーター
５０        電源
【図１】
2012142208.tif 000003
【図２】
2012142208.tif 000004
【図３】
2012142208.tif 000005
【図４】
2012142208.tif 000006
【図５】
2012142208.tif 000007
【図６】
2012142208.tif 000008
【図７】
2012142208.tif 000009
【図８】
2012142208.tif 000010